(57)【特許請求の範囲】
【請求項１】
強化繊維に樹脂を含浸させたシート状プリプレグを巻回して成形された筒状の竿本体と、
外方に露出する突起部を有し前記竿本体の周面に嵌め込まれる硬質の筒体と、
前記筒体の周面に前記筒体と表面が面一になるように組み合わされ透明または半透明の透光性を有し前記筒体と一体成形されている弾性体製の筒状のグリップと、
を備えた釣り竿。
【請求項２】
前記筒体は着色されており、
前記グリップは前記筒体の色を視認可能な程度の透光性を有している、
請求項１に記載の釣り竿。
【請求項３】
前記筒体は文字及び／又は図形を含む模様を有しており、
前記グリップは前記筒体の模様を視認可能な程度の透光性を有している、
請求項１又は２に記載の釣り竿。
【請求項４】
前記筒体は、蓄光性又は蛍光性を有する塗料で塗装されている、
請求項１から３のいずれかに記載の釣り竿。
【請求項５】
前記グリップは、蓄光性又は蛍光性を有する顔料を添加した透光性を有する弾性体製である、
請求項１から４のいずれかに記載の釣り竿。
【請求項６】
前記グリップは前記筒体と滑らかに連続している、
請求項１から５のいずれかに記載の釣り竿。
【発明の詳細な説明】
【０００１】
【発明の属する技術分野】
本発明は、釣り竿に関する。
【０００２】
【従来の技術】
たとえば、船釣り用やソルトウォーター用の釣り竿には、手元竿に形成されたリールシートの竿先側や竿尻部の外周面にグリップが装着されている。この種のグリップは、一般に、炭素繊維強化樹脂等により形成された竿本体の外周面にウレタンゴム等の着色された弾性体製の筒状部材を嵌め込むことにより形成されている。
【０００３】
このような釣り竿に装着されたグリップに要求される機能としては、釣りをする上でのグリップ力と、心地良く握れる材料の感触と、デザイン上必要な色及び質感との３つがある。
【０００４】
【発明が解決しようとする課題】
前記従来の弾性体製のグリップでは、前記３つの機能のうち前者の２つの機能を満足できる。すなわち、グリップ力や感触についての機能は満足できるレベルにある。しかしながら、種々の色を使い分けて用途に応じた商品イメージに合わせる場合、デザイン上必要な色及び質感が満足できるレベルではない。たとえば、ウレタンゴムの場合、通常、黒や灰色等の無彩色に着色することが多く、商品イメージに合わせて所望の色に着色することが困難である。そこで、グリップを成形する際に所望の色の顔料を添加して弾性体を着色することが考えられる。しかし、このように顔料を添加して着色しても、ベースの弾性体の色より薄い色に着色するのは困難である。また、顔料を添加して着色すると弾性体のロット単位で色のバラツキが生じやすく、ロット単位でグリップの色が微妙に変化しやすい。
【０００５】
本発明の課題は、商品イメージに合わせた色を自由に表現できかつ色のバラツキが抑えられた釣り竿を提供することにある。
【０００６】
【課題を解決するための手段】
発明１に係る釣り竿は、竿本体と、筒体と、グリップとを備える。竿本体は、強化繊維に樹脂を含浸させたシート状プリプレグを巻回して成形された筒状のものである。筒体は、外方に露出する突起部を有し、竿本体の周面に嵌め込まれる硬質のものである。グリップは、筒体の周面に筒体と表面が面一になるように組み合わされ、透明または半透明の透光性を有し、筒体と一体成形されている弾性体製の筒状のものである。
【０００７】
この釣り竿では、グリップが透光性を有しているので、筒体表面の色が外部から視認できる。したがって、塗装または蒸着等の色のバラツキが生じにくい着色手段により筒体の表面を商品イメージに合わせた所望の色に着色することで、グリップを通して筒体表面の色が視認できる。この結果、グリップにおいて商品イメージに合わせた色を自由に表現できかつ色のバラツキが抑えられる。また、グリップは筒体と一体成形されているため、グリップの製造工程が簡素化する。
【０００８】
発明２に係る釣り竿は、発明１に記載の釣り竿において、前記筒体は着色されており、前記グリップは筒体の色を視認可能な程度の透光性を有している。この場合には、筒体の色を確実に視認できるので、グリップにおいて商品イメージに合わせた色をより的確に表現できる。
【０００９】
発明３に係る釣り竿は、発明１又は２に記載の釣り竿において、前記筒体は文字及び／又は図形を含む模様を有しており、前記グリップは筒体の模様を視認可能な程度の透光性を有している。この場合には、筒体の表面に形成された模様が視認できるので、グリップにおいて商品イメージに合わせた模様をも的確に表現できる。また、模様の上にグリップが配置され模様がグリップで保護されることになるので、模様が消えたり欠けたりしにくい。
【００１０】
発明４に係る釣り竿は、発明１から３のいずれかに記載の釣り竿において、前記筒体は、蓄光性又は蛍光性を有する塗料で塗装されている。この場合には、グリップに保護された筒体が発光するので夜釣り等に最適である。
【００１１】
発明５に係る釣り竿は、発明１から４のいずれかに記載の釣り竿において、前記グリップは、蓄光性又は蛍光性を有する顔料を添加した透光性を有する弾性体製である。この場合には、グリップが発光するので、筒体の色が光って見え遠くから視認し易くなり夜釣り等に用いるのに好適である。
【００１２】
発明６に係る釣り竿は、発明１から５のいずれかに記載の釣り竿において、前記グリップは筒体と滑らかに連続している。この場合にはグリップと筒体との段差が目立たなくなり握ったときの感触がよくなる。
【００１３】
【発明の実施の形態】
図１において、本発明の一実施形態を採用した釣り竿の手元竿１０は、竿本体１１と、竿本体１１の外周面に竿先側から順に配置された前グリップ１２、リールシート１３及び竿元グリップ１４とを有している。竿本体１１は、たとえば炭素繊維等の強化繊維に樹脂を含浸させたシート状プリプレグをマンドレルに巻回して成形された筒状のものであり、先端が細いテーパ形状である。竿本体１１の表面はたとえば塗装により商品イメージに合わせて着色されている。
【００１４】
前グリップ１２は、図２に示すように、透明又は半透明の透光性を有し、竿先側がやや小径の先細りテーパ状の円筒部材である。前グリップ１２は、竿本体１１の周面に嵌め込まれた硬質の第１筒体２０と一体で成形されている。前グリップ１２は、蓄光性又は蛍光性を有する顔料を添加した弾性体のペレットを射出成形や押し出し成形することで得られる。この弾性体としては、ウレタンゴム等のゴム系弾性体やアクティマー（商標），レオストマー（商標）等のスチレンブロック共重合体系熱可塑弾性体やサントプレーン（商標），ラバロン（商標）等の弾性体を用いることができる。弾性体として、スチレン系弾性体であるレオストマーに高温でのゴム弾性，耐油性を付与して一層の高機能化を実現した動的架橋熱可塑性弾性体であるアクティマーを用いると、グリップの耐久性や感触がとくに良好である。とくに、グリップに用いると水に濡れ手も滑りにくく、また経年変化してもべたつきにくく触った時の感触も良好である。
【００１５】
このアクティマーは、スチレンブロック共重合体系熱可塑弾性体であるレオストマーと類似した分子構造を形成しているが、自由分子鎖に近いソフトセグメント中に動的架橋により高度に架橋された拘束相を有している。この動的架橋鎖は、ポリスチレン相と比較して熱的・化学的に安定であるため、アクティマーは、１００℃以上の圧縮永久歪みや耐油・耐薬品性に優れている。このアクティマーの基本物性は下記の通りである。
【００１６】
硬さ２１〜８０ＨＤＡ（１５秒後値） ＪＩＳ Ｋ ７２１５による比重０．８９ＪＩＳ Ｋ ７１１２による
引張強さ１３．１〜３５．７ＭＰａ ＪＩＳＫ ６３０１による
耐寒性−６０℃以下ＪＩＳ Ｋ ６３０１による
引裂強さ１４〜７８Ｎ／ｍｍ ＪＩＳＫ ６３０１による
反発弾性５９〜３０％ ＢＳ９０３による
圧縮永久歪みＪＩＳ Ｋ ６２８２による
７０℃×７２時間３６〜５３％
１００℃×７２時間５４〜６９％
１２０℃×７２時間６７〜７１％
１４０℃×７２時間８２〜８５％
耐熱老化性ＪＩＳ Ｋ ６２８２による
１３６℃×１６８時間
引張強さ保持率１２２〜９２％
100 ％モジュラス保持率１００〜１１２％
引張伸び保持率１０２〜９２％
硬さ変化１４．３〜−１．１％
重量変化−３．３〜−１．４％
第１筒体２０は、たとえばポリエチレンテレフタレート（ＰＥＴ）、ＡＢＳ、６６ナイロン等の樹脂を成形して得られた円筒状の部材であり、その両端に突出した鍔部２０ａ，２０ｂを有している。この鍔部２０ａ，２０ｂの周面は前グリップ１２の周面と面一になっている。この第１筒体２０も、先細りテーパ状になっている。第１筒体２０の外周面は商品イメージに合わせて着色されており、そこには、図３に示すように、段階的に階調が変化するグラデュエーション模様２１ａやたとえば「ＦｉｓｈｉｎｇＲｏｄ」という文字模様２１ｂが所望の色で描かれている。これらの着色や模様は塗装による他、蒸着法やイオンプレーティング法（ＩＰ法）やシールテープの貼り付け等種々の方法で形成できる。また、樹脂のペレットに着色顔料を添加してもよい。
【００１７】
このように軟質の前グリップ１２と硬質の第１筒体２０とを組み合わせ、かつ表面を面一に形成することで、前グリップ１２の径が竿本体１１に対してかなり大きくなっても握ったときに剛性感があり力を入れやすくかつ握ったときの感触が良好になる。また、前グリップ１２が透光性を有しているので、塗装や蒸着等の色のバラツキが生じにくい着色手段により筒体２０の表面を商品イメージに合わせた所望の色に着色したり模様を描くと、前グリップ１２を通して第１筒体２０表面の色や模様が視認できる。この結果、前グリップ１２において商品イメージに合わせた色や模様を自由に表現できかつ色のバラツキが抑えられる。
【００１８】
また、前グリップ１２に蓄光性又は蛍光性を有する顔料が添加されているので、前グリップ１２が夜間発光し、夜釣り等にも好適である。さらに、第１筒体２０が前グリップ１２で保護されることになるので、第１筒体２０に描かれた模様や色が剥がれたり欠けたりしにくくなる。リールシート１３は、図１に示すように、竿本体１１の周面に嵌め込まれたねじ部２５と、ねじ部２５に螺合するナット２６と、ナット２６により進退する前シート２７と、ねじ部２５の竿元側において、竿本体１１に嵌め込まれた硬質の第２筒体２８と、第２筒体２８の外周面に第２筒体２８の一部が露出するように嵌め込まれた軟質の中間グリップ２９とを有している。
【００１９】
第２筒体２８は、図４に示すように、円筒状の本体部４０と、本体部４０の上部において外方に突出する突起部４１とを有している。本体部４０の外周面は商品イメージに合わせて蓄光性又は蛍光性を有する塗料により着色されており、そこには、たとえば「ＲｅｅｌＳｅａｔ」という文字模様４０ａが所望の色で描かれている。また、突起部４１には、前シート２７に対向して後シート４２が形成されている。この前シート２７と後シート４２とにリールの取付脚を嵌め込みナット２６を締め込むことでリールが竿体１１に固定される。突起部４１は、中間グリップ２９の周面と面一になるように突出している。第２筒体２８の本体部４０の両側には、中間グリップ２９を位置決めするための軸方向に延びる位置決め突起４３が形成されている。
【００２０】
中間グリップ２９は、前グリップ１２と同様な弾性体製であり、透光性を有するものである。中間グリップ２９は、図５に示すように両側部がやや膨らんだ筒状の部材であり、第２筒体２８の突起部４１が露出する部分に突起部４１と面一になるような厚みの開口２９ａを有している。また、内周面には位置決め突起４３に係止される位置決め溝４４が形成されている。このように、蓄光性又は蛍光性を有する塗料で着色された第２筒体２８の外周面に透光性を有する中間グリップ２９を嵌め込むことで、塗料や模様を保護できるとともに、夜間において発光し、夜間における視認性が向上する。
【００２１】
竿元グリップ１４は、竿本体１１の竿尻に嵌め込まれ、透明接着剤で接着された蓋付円筒部材である。竿元グリップ１４は、前グリップ１２と同様な弾性体製であり、透光性を有する部材である。このグリップ１４の弾性体にも蓄光又は蛍光顔料が添加されている。竿本体１１の竿尻側には、図６に示すように、グラデュエーション模様１１ａ、三角形の図形模様１１ｂ，１１ｃ及びたとえば「ＧＲＩＰ」という文字模様１１ｄ等の模様が所望の色で描かれている。これらの模様は塗装による他、蒸着法やＩＰ法やシールテープの貼り付け等種々の方法で形成できる。
【００２２】
このような実施形態では、３つのグリップ１２，２９，１４が透光性を有する弾性体製であるため、グリップの内部が透けてみえ、グリップが装着された筒体の色や模様が外部から視認できる。このため、色や模様を保護でき、かつ商品イメージに合わせて自由に色を表現できとともに、透けてみえるため深みがあるデザインになり質感が向上する。
【００２３】
また、筒体とグリップとの２つの異なる部材を組み合わせているので、種々のバリエーションを容易に得ることができる。
【００２４】
〔他の実施形態〕
（ａ） 各グリップを筒体に描かれた色や模様が見える程度に着色してもよい。この場合、筒体の色とグリップの色との混色を実現できる。
（ｂ） 筒体は竿元グリップのように竿本体自体でもよく、前グリップや中間グリップのように竿本体と別体でもよい。
（ｃ） グリップの材質は前述した弾性体に限定されず、透明又は半透明の透光性を有する弾性体であればどのようなものでもよい。
（ｄ） グリップの形状は円筒に限定されず、筒体が貫通する孔を有する筒状部材であればどの様な形状でもよい。
【００２５】
【発明の効果】
本発明によれば、グリップが透光性を有しているので、筒体表面の色が外部から視認できる。したがって、塗装または蒸着等の色のバラツキが生じにくい着色手段により筒体の表面を商品イメージに合わせた所望の色に着色することで、グリップを通して筒体表面の色が視認できる。この結果、グリップにおいて商品イメージに合わせた色を自由に表現できかつ色のバラツキが抑えられる。
【図面の簡単な説明】
【図１】本発明の一実施形態が採用された手元竿の側面部分図。
【図２】前グリップの断面側面図。
【図３】前グリップの側面図。
【図４】リールシートの側面部分図。
【図５】図４のＶ−Ｖ断面図。
【図６】竿尻部の側面図。
【符号の説明】
１１ 竿本体
１１ａ，２１ａ グラデュエーション模様
１１ｂ，１１ｃ 図形模様
１１ｄ，２１ｂ，４０ａ 文字模様
１２ 前グリップ
１４ 竿元グリップ
２０ 第１筒体
２８ 第２筒体
２９ 中間グリップ
【図１】
0003752301.tif 000002
【図２】
0003752301.tif 000003
【図３】
0003752301.tif 000004
【図４】
0003752301.tif 000005
【図５】
0003752301.tif 000006
【図６】
0003752301.tif 000007